(57)【要約】      （修正有）【課題】運搬、保管や設置のための特別なスペースを要せず、小型の商品にもそれぞれ簡単に配置でき、更に、簡単な工程で製造できて低コストの、僅かな外力によって揺動する表示効果に優れる表示札を提供する。【解決手段】展示商品２０等の被貼付物に貼付して表示を行うものであって、透明な可撓性帯体４と、該可撓性帯体の一端部１１に備えられ該被貼付物に貼着される貼着部６と、該可撓性帯体の他端部に備えられた表示部８とを含み、該貼着部が貼着された状態で、該貼着部から該可撓性帯体の一端部が上方に立ち上がり、該可撓性帯体が該表示部の自重で逆Ｕ字形に撓み、該表示部が該可撓性帯体の他端部から垂下して揺動するようになされ、該可撓性帯体の幅が該可撓性帯体の長手方向に変化する表示札２である。【選択図】  図２
2004333889.tif 000002
【特許請求の範囲】
【請求項１】
被貼付物に貼付して表示を行うものであって、透明な可撓性帯体と、該可撓性帯体の一端部に備えられ該被貼付物に貼着される貼着部と、該可撓性帯体の他端部に備えられた表示部とを含み、該貼着部が貼着された状態で、該貼着部から該可撓性帯体の一端部が上方に立ち上がり、該可撓性帯体が該表示部の自重で逆Ｕ字形に撓み、該表示部が該可撓性帯体の他端部から垂下して揺動するようになされた、表示札。
【請求項２】
被貼付物に貼付して表示を行うものであって、可撓性帯体と、該可撓性帯体の一端部に備えられ該被貼付物に貼着される貼着部と、該可撓性帯体の他端部に備えられた表示部とを含み、該貼着部が貼着された状態で、該貼着部から該可撓性帯体の一端部が上方に立ち上がり、該可撓性帯体が該表示部の自重で逆Ｕ字形に撓み、該表示部が該可撓性帯体の他端部から垂下して揺動するようになされ、該可撓性帯体の幅が該可撓性帯体の長手方向に変化することを特徴とする表示札。
【請求項３】
被貼付物に貼付して表示を行うものであって、透明な可撓性帯体と、該可撓性帯体の一端部に備えられ該被貼付物に貼着される貼着部と、該可撓性帯体の他端部に備えられた表示部とを含み、該貼着部が貼着された状態で、該貼着部から該可撓性帯体の一端部が上方に立ち上がり、該可撓性帯体が該表示部の自重で逆Ｕ字形に撓み、該表示部が該可撓性帯体の他端部から垂下して揺動するようになされ、該可撓性帯体の幅が該可撓性帯体の長手方向に変化することを特徴とする表示札。
【請求項４】
被貼付物に貼付して表示を行うものであって、可撓性帯体と、該可撓性帯体の一端部に備えられ該被貼付物に貼着される貼着部と、該可撓性帯体の他端部に貼着された表示部とを含み、該貼着部が貼着された状態で、該貼着部から該可撓性帯体の一端部が上方に立ち上がり、該可撓性帯体が該表示部の自重で逆Ｕ字形に撓み、該表示部が該可撓性帯体の他端部から垂下して揺動するようになされた、表示札。
【請求項５】
前記可撓性帯体が透明である請求項４に記載の表示札。
【請求項６】
前記可撓性帯体が前記他端部に向けて先細である請求項２乃至５のいずれかに記載の表示札。
【請求項７】
前記貼着部が粘着層を備え、前記展示物又は前記付帯物に前記貼着部が該粘着層を介して貼着される請求項１乃至６のいずれかに記載の表示札。
【請求項８】
長尺フィルム体を含み、前記粘着層が該長尺フィルム体の一の端部に設けられ、前記可撓性帯体が該長尺フィルム体の長手方向中間部から成り、前記表示部が該長尺フィルム体の他の端部に形成された請求項１乃至７のいずれかに記載の表示札。
【請求項９】
剥離台紙と、該剥離台紙に前記粘着層を介して貼着された複数の請求項７又は８に記載の表示札とから成るラベル。
【請求項１０】
請求項３に記載の表示札に用いられるものであり、粘着層を備えた粘着部と、該粘着部に一の端部で連接し他の端部に第２の粘着層を備えた帯体部とを含んで成り、該粘着部が前記貼着部を構成することとなり、該帯体部が前記可撓性帯体を構成することとなり、前記他の端部に前記表示部が貼着されることとなる、表示札用粘着帯体。
【請求項１１】
剥離台紙と、該剥離台紙に少なくとも前記粘着部を介して貼着された複数の請求項１０に記載の表示札用粘着帯体とから成る表示札用ラベル。
【請求項１２】
請求項８に記載の表示札と、前記被貼付物と、光源とを含んでなり、前記長尺フィルム体に漏光部が形成され、前記貼着部が前記被貼付物に貼着され、前記貼着部から前記可撓性帯体の一端部が上方に立ち上がり、前記可撓性帯体が前記表示部の自重で逆Ｕ字形に撓み、前記表示部が前記可撓性帯体の他端部から垂下し、前記光源が前記貼着部の下方に配された、表示札構造。
【発明の詳細な説明】
【０００１】
【発明の属する技術分野】
本発明は、表示部が揺動するようになされた商品情報表示用の表示札に関する。
【０００２】
【従来の技術】
僅かな外力によって揺動し、店内で商品の広告又は装飾等を助長する表示具として、基台から着脱用取付部を介して立設する立設揺動杆と、立設揺動杆に吊り下げる吊り下げ体とより成り、吊り下げ体に商品情報や装飾が付加された表示具体が開示されている（例えば特許文献１参照）。しかし、このような表示具は金属製の多くの部品から組み立てられて構成されており、僅かな外力によって揺動し、店内で商品の広告又は装飾等を助長する目的は達せられるものの、設置のためにかなりのスペースを要し、又、小型の商品のそれぞれに配置するには大きすぎる。更に、数多くの個数を配置するには高価である。更にかさだかで運搬、保管に大きなスペースを要する。
【０００３】
【特許文献１】
特開平９−２２２８５９号公報（第１図）
【０００４】
【発明が解決しようとする課題】
本発明は、これら問題点に鑑み、運搬、保管や設置のための特別なスペースを要せず、小型の商品にもそれぞれ簡単に配置でき、更に、簡単な工程で製造できて低コストの、僅かな外力によって揺動する表示効果に優れる表示札を提供しようとする。
【０００５】
【課題を解決するための手段】
本発明の要旨とするところは、被貼付物に貼付して表示を行うものであって、透明な可撓性帯体と、該可撓性帯体の一端部に備えられ該被貼付物に貼着される貼着部と、該可撓性帯体の他端部に備えられた表示部とを含み、該貼着部が貼着された状態で、該貼着部から該可撓性帯体の一端部が上方に立ち上がり、該可撓性帯体が該表示部の自重で逆Ｕ字形に撓み、該表示部が該可撓性帯体の他端部から垂下して揺動するようになされた、表示札であることにある。
【０００６】
又、本発明の要旨とするところは、被貼付物に貼付して表示を行うものであって、可撓性帯体と、該可撓性帯体の一端部に備えられ該被貼付物に貼着される貼着部と、該可撓性帯体の他端部に備えられた表示部とを含み、該貼着部が貼着された状態で、該貼着部から該可撓性帯体の一端部が上方に立ち上がり、該可撓性帯体が該表示部の自重で逆Ｕ字形に撓み、該表示部が該可撓性帯体の他端部から垂下して揺動するようになされ、該可撓性帯体の幅が該可撓性帯体の長手方向に変化することを特徴とする表示札であることにある。
【０００７】
更に、本発明の要旨とするところは、被貼付物に貼付して表示を行うものであって、透明な可撓性帯体と、該可撓性帯体の一端部に備えられ該被貼付物に貼着される貼着部と、該可撓性帯体の他端部に備えられた表示部とを含み、該貼着部が貼着された状態で、該貼着部から該可撓性帯体の一端部が上方に立ち上がり、該可撓性帯体が該表示部の自重で逆Ｕ字形に撓み、該表示部が該可撓性帯体の他端部から垂下して揺動するようになされ、該可撓性帯体の幅が該可撓性帯体の長手方向に変化することを特徴とする表示札であることにある。
【０００８】
更に又、本発明の要旨とするところは、被貼付物に貼付して表示を行うものであって、可撓性帯体と、該可撓性帯体の一端部に備えられ該被貼付物に貼着される貼着部と、該可撓性帯体の他端部に貼着された表示部とを含み、該貼着部が貼着された状態で、該貼着部から該可撓性帯体の一端部が上方に立ち上がり、該可撓性帯体が該表示部の自重で逆Ｕ字形に撓み、該表示部が該可撓性帯体の他端部から垂下して揺動するようになされた、表示札であることにある。
【０００９】
前記可撓性帯体は、透明であり得る。
【００１０】
前記可撓性帯体は、前記他端部に向けて先細であり得る。
【００１１】
前記表示札においては、前記貼着部が粘着層を備え得、前記展示物又は前記付帯物に前記貼着部が該粘着層を介して貼着され得る。
【００１２】
前記表示札は長尺フィルム体を含み得、前記粘着層が該長尺フィルム体の一の端部に設けられ得、前記可撓性帯体が該長尺フィルム体の長手方向中間部から成り得、前記表示部が該長尺フィルム体の他の端部に形成され得る。
【００１３】
又、本発明の要旨とするところは、剥離台紙と、該剥離台紙に前記粘着層を介して貼着された複数の前記表示札とから成るラベルであることにある。
【００１４】
更に、本発明の要旨とするところは、前記表示札に用いられるものであり、粘着層を備えた粘着部と、該粘着部に一の端部で連接し他の端部に第２の粘着層を備えた帯体部とを含んで成り、該粘着部が前記貼着部を構成することとなり、該帯体部が前記可撓性帯体を構成することとなり、前記他の端部に前記表示部が貼着されることとなる、表示札用粘着帯体であることにある。
【００１５】
又更に、本発明の要旨とするところは、剥離台紙と、該剥離台紙に少なくとも前記粘着部を介して貼着された複数の前記表示札用粘着帯体とから成る表示札用ラベルであることにある。
【００１６】
又、本発明の要旨とするところは、前記表示札と、前記被貼付物と、光源とを含んでなり、前記長尺フィルム体に漏光部が形成され、前記貼着部が前記被貼付物に貼着され、前記貼着部から前記可撓性帯体の一端部が上方に立ち上がり、前記可撓性帯体が前記表示部の自重で逆Ｕ字形に撓み、前記表示部が前記可撓性帯体の他端部から垂下し、前記光源が前記貼着部の下方に配された、表示札構造であることにある。
【００１７】
【発明の実施の形態】
本発明に係る態様を図面に基づいて詳しく説明する。図１に示される本発明の表示札２は、展示物又は展示ケースや陳列棚のような展示物の付帯物から成る被貼付物１に貼付して展示物に関する表示を行うものであって、可撓性帯体４と、可撓性帯体４の一端部に設けられて展示物又は付帯物に貼着される貼着部６と、可撓性帯体４の他端部に設けられた表示部８とを備えて成る。表示部８には商品に関する情報や、装飾効果のある模様等が印刷されている。この構成は、長尺フィルム体１０と、長尺フィルム体１０の一端部の貼着部６に相当する部分の上面に重畳された粘着層１２と、長尺フィルム体１０の他端部の表示部８に相当する部分の上面に印刷された印刷層９とで作られる。
【００１８】
表示札２は、図２に示すように、展示商品２０に剥離可能に貼着されて用いられる。具体的には、表示札２の貼着部６がわの端を下にして貼着部６が展示商品２０に貼着される。これにより、貼着された状態で貼着部６から可撓性帯体４の一端部１１が上方に立ち上がる。可撓性帯体４は表示部８の自重で逆Ｕ字形に撓み、表示部８が可撓性帯体４の他端部から垂下する状態となる。表示部８は、矢印に示すように前後のみならず左右にも揺動する。又、表示部８には、上下振動や、鉛直方向を軸とする回転振動も生ずる。これらの揺動、振動は、長尺フィルム体１０（図１）の弾性と、曲げやすさと、長尺フィルム体１０の長手方向の軸のまわりの捩じりやすさによりもたらされる。
【００１９】
長尺フィルム体１０を透明フィルムで作ることにより、可撓性帯体４を透明なものにすることが出来る。これにより、表示部８があたかも空中に浮遊するような視覚状態となり人目を引きつける。
【００２０】
図３に示すように、本発明の更に別の態様の表示札２ｐにおいては、長尺フィルム体１０を透明フィルム又は着色透明フィルムで作ることにより、長尺フィルム体１０に導光路の機能をもたせた表示札構造９９を得ることが出来る。図３においては、長尺フィルム体１０の貼着部６がわの端面８６の下方に光源８０を配する。光源８０は架台８２を介して展示商品２０に取り付けられている。光源８０はリード線８４に連続的あるいは断続的に供給される電流により点灯する。光源８０から端面８６に入光した光は、長尺フィルム体１０により形成された導光路９０の中を伝達して表示部８の端面９２から出射する。導光路９０は光ファイバと同様の機構で長尺フィルム体１０の内部を通る光を導光する。図３においては、長尺フィルム体１０に接する空気が光ファイバにおけるクラッドの機能をはたす。
【００２１】
可撓性帯体４の部分の端面に凹凸９４が形成されていると、導光路９０の中を伝達する光が凹凸９４の部分（漏光部９５）で導光路９０の外部に漏光し、外から見るとその部分が光る。可撓性帯体４が揺動すると、その光る部分も揺動し、好ましい視覚効果をもたらす。又、可撓性帯体４の長尺フィルム体１０の面の部分に微細な凹凸を連ねた模様７０（漏光部７１）あるいは印刷による文字が形成されると、導光路９０の中を伝達する光がその微細な凹凸の部分あるいは印刷されたインクの部分で導光路９０の外部に漏光し、外から見ると模様７０の部分が光り、光る模様が作られる。可撓性帯体４が揺動すると、その光る模様も揺動し、好ましい視覚効果をもたらす。表示部８の端面９２に凹凸７２（漏光部７３）が形成されていると、導光路９０の中を伝達する光が凹凸７２の部分で漏光し、外から見るとその部分が光る。可撓性帯体４が揺動すると、その光る部分も揺動し、好ましい視覚効果をもたらす。表示部８の長尺フィルム体１０の面の部分に印刷されたインクを介しても、導光路９０の中を伝達する光が漏光するので、印刷された文字７６（漏光部７７）や模様も光る。印刷されない部分からは漏光しないので、印刷された文字７６や模様だけが光って浮き上がり、かつ揺動して幻想的な視覚効果が得られる。長尺フィルム体１０の内部に不図示の粒子が点在させられていてもよい。この場合は、導光路９０の中を伝達する光が、その粒子（漏光部）で反射して長尺フィルム体１０の外部に漏光する。
【００２２】
長尺フィルム体１０の素材としては、ポリエステル系樹脂、ポリ塩化ビニル系樹脂、ポリオレフィン系樹脂、ポリウレタン系樹脂、ポリアミド系樹脂等が挙げられるが、フィルム形成能を有する樹脂であればこれらに限定されない。透明フィルムとするためには、ポリエステル系樹脂、ポリ塩化ビニル系樹脂が好ましい。長尺フィルム体１０の素材としては可撓性と靭性を有することが好ましい。この点からも、ポリエステル系樹脂、ポリ塩化ビニル系樹脂が好ましい。
【００２３】
可撓性帯体４の素材としては、紙、不織布、金属シートが用いられてもよい。
【００２４】
粘着層１２は、少なくとも１種の粘着剤からなるものであり、当業者に公知でかつ非粘着性台紙を裏張したラベルに一般的に用いられる粘着層を形成し得るいずれの粘着剤あるいはそれらの２以上の組み合わせでも用いられる。例えば、天然ゴム系粘着剤、合成ゴム系粘着剤、アクリル樹脂系粘着剤、ポリビニルエーテル樹脂系粘着剤、ウレタン樹脂系粘着剤、シリコン樹脂系粘着剤などが挙げられる。アクリル樹脂系粘着剤の具体例としては、アクリル酸、アクリル酸メチル、アクリル酸エチル、アクリル酸プロピル、アクリル酸ブチル、アクリル酸２−エチルヘキシル、メタクリル酸エチル、メタクリル酸ブチル、アクリロニトリル、イタコン酸、無水マレイン酸などからなる１種以上の重合体あるいは共重合体が挙げられる。ポリビニルエーテル樹脂系粘着剤の具体例としては、ポリビニルエーテル、ポリビニルイソブチルエーテルなどが挙げられる。本発明に特に好ましく用いられるのは、アクリル樹脂系粘着剤であるが、これに限定されない。
【００２５】
上記の粘着剤にさらに必要に応じて、テルペン樹脂、スチレン樹脂などの粘着付与剤；シリカ、炭酸カルシウム、硫酸バリウムなどの充填剤；可塑剤などの軟化剤；アニリドなどの酸化防止剤；架橋剤などを配合し得る。
【００２６】
粘着層を設ける方法は特に限定されないが、例えば上記の１種以上の粘着剤を適当な溶剤に溶解させて塗布する方法、適当な媒体に分散あるいは乳化させて塗布する方法、剥離紙にあらかじめ粘着剤層を塗布形成して貼合わせる方法、両面テープを積層する方法などが挙げられる。本発明において特に好ましいのは、適当な媒体に分散させたエマルジョンを塗布、塗工、あるいは積層する方法である。エマルジョン系粘着剤の場合、ホットメルト系粘着剤と異なり、樹脂の種類が限定されず、耐候性、透明性に優れ、薄く塗布することも可能だからである。
【００２７】
貼着部６は、粘着剤にかえてデンプンのりのような水溶性の接着剤の層が重畳されていてもよい。このような水溶性の接着剤は濡らして展示商品２０に貼着されて用いられる。このような水溶性の接着剤は必ずしも剥離可能に貼着されないが展示商品２０の種類によっては使用が可能である。
【００２８】
可撓性帯体４は幅が長手方向に変化するものであってもよい。図４に示す可撓性帯体４ａのようにテーパー状に表示部８ａに向けて先細であると、表示札２ａが商品に貼着されたとき、表示部８ａの揺動が激しくなり目立って好ましい。図５に示す可撓性帯体４ａａのように長手方向の中間部１５から幅が変わって表示部８ａａのがわで細くなるのものであっても同様の効果が得られる。
【００２９】
図６に示す可撓性帯体４ｂのように長手方向に縁が波状であると視覚的な変化があり好ましい。又、可撓性帯体４ｂに孔３０が形成されていてもよい。孔３０は可撓性帯体４ｂの重量を減らし、空気抵抗を減らすので、表示部８ｂの揺動が変化し好ましい。
【００３０】
図７に示すように、可撓性帯体４ｃに模様３２や文字が印刷されていてもよい。模様３２や文字は、表示札２ｃの視覚効果を高める。可撓性帯体４は着色や金属蒸着がなされていてもよい。
【００３１】
本発明の表示札２（２ａ、２ａａ、２ｂ、２ｃ）は、図８に示すように、並べて剥離台紙５０に貼着部６を貼着してラベル５２として流通過程に供されることが好ましい。ラベル５２は嵩張らず、複数枚を重畳して保管、運搬が出来る。
【００３２】
図９（ａ）に示すように、表示札２は、貼着部６が展示商品２０の前側に貼着されるが、図９（ｂ）に示すように、貼着部６が展示商品の後ろ側に貼着されてもよい。この場合は、印刷層９が長尺フィルム体１０の粘着層１２が設けられた面と反対がわの面に設けられる。
【００３３】
本発明の他の態様においては、図１０に示す表示札２ｄのように、可撓性帯体４ｄと、表示部８ｄとが接着あるいは貼着されていてもよい。貼着は粘着性の接着剤を介して剥離可能になされることが好ましい。これにより、表示部８ｄを状況に応じて交換出来る。
【００３４】
表示札２ｄに用いられるものとして、図１１に示すように、粘着層１２ｄを備えた粘着部４０と、粘着部４０に一の端部で連接し他の端部に第２の粘着層１２ｆを備えた帯体部３８から成る表示札用粘着帯体４１が好適に用いられる。粘着部４０は表示札２ｄの貼着部６ｄを構成することとなり、帯体部３８が可撓性帯体４ｄを構成することとなり、帯体部３８の他の端部に表示部８ｄが貼着されることとなる。この構成は、帯状フィルム体１０ｃと、帯状フィルム体１０ｃの一端部の上面に重畳された粘着層１２ｄと、帯状フィルム体１０ｃの他端部の上面に重畳された第２の粘着層１２ｆとで作られる。
【００３５】
図１２に示すように、表示札用粘着帯体４１は、並べて剥離台紙４５に粘着部４０と帯体部３８の他の端部４７とを貼着して表示札用ラベル６０として流通過程に供されることが好ましい。このラベルは嵩張らず、複数枚を重畳して保管、運搬が出来る。
【００３６】
図１３（ａ）に示すように、表示札２ｄは、貼着部６が展示商品の前側に貼着されるが、図１３（ｂ）に示すように、貼着部６が展示商品の後ろ側に貼着されてもよい。この場合は、表示部８ｄを貼着するために設けられた第２の粘着層１２ｆが帯状フィルム体１０ｃの粘着層１２が設けられた面と反対がわの面に設けられる。
【００３７】
以上本発明の表示札の態様を説明したが、本発明はその趣旨を逸脱しない範囲で、当業者の知識に基づき種々の改良、修正、変形を加えた態様で実施し得るものであり、これらの態様はいずれも本発明の範囲に属するものである。
【００３８】
例えば、図１０に示す表示札２ｄにおいて、表示部８ｄを構成する葉体の裏面に粘着層が設けられて表示部８ｄがこの粘着層を介して可撓性帯体４ｄと接合されてもよい。
【００３９】
【発明の効果】
本発明の表示札は、運搬、保管及び設置のための特別なスペースを要せず、小型の多数の商品にもそれぞれに簡単に配置でき、更に、簡単な工程で製造できて低コストであり、僅かな外力によって多方向に効果的に揺動する表示札である。
【図面の簡単な説明】
【図１】本発明の表示札の構成を示す模式図であり、図１（ａ）は平面図、図１（ｂ）は側面図である。
【図２】図１の表示札が展示商品に貼着された状態を示す斜視模式図である。
【図３】本発明の表示札構造の構成の一例を示す斜視模式図である。
【図４】本発明の表示札の他の態様の一例を示す平面模式図である。
【図５】本発明の表示札の更に他の態様の一例を示す平面模式図である。
【図６】本発明の表示札の又更に他の態様の一例を示す平面模式図である。
【図７】本発明の表示札の又他の態様の一例を示す平面模式図である。
【図８】本発明の表示札を並べて剥離台紙に貼着したラベルの構成を示す説明図である。
【図９】本発明の表示札が展示商品に貼着された状態を示す図であり、図９（ａ）は貼着部が展示商品の前側に貼着された態様を示す説明図、図９（ｂ）は貼着部が展示商品の後ろ側に貼着されされた態様を示す説明図である。
【図１０】本発明の表示札の図１とは異なる態様を示す斜視模式図である。
【図１１】図１０の表示札に用いられる表示札用粘着帯体の構成を示す模式図であり、図１０（ａ）は平面図、図１０（ｂ）は側面図である。
【図１２】図１１の表示札用粘着帯体を並べて剥離台紙に貼着した表示札用ラベルの構成を示す説明図である。
【図１３】図１０の本発明の表示札が展示商品に貼着された状態を示す図であり、図１３（ａ）は貼着部が展示商品の前側に貼着された態様を示す説明図、図１３（ｂ）は貼着部が展示商品の後ろ側に貼着されされた態様を示す説明図である。
【符号の説明】
１：被貼付物
２、２ａ、２ａａ、２ｂ、２ｃ、２ｄ、２ｐ：表示札
４、４ａ、４ａａ、４ｂ、４ｃ、４ｄ：可撓性帯体
６、６ｃ：貼着部
８、８ａ、８ａａ、８ｂ、８ｃ、８ｄ：表示部
９：印刷層
１０：長尺フィルム体
１０ｃ：帯状フィルム体
１２、１２ｄ：粘着層
１２ｆ：第２の粘着層
２０：展示商品
３８：帯体部
４０：粘着部
４１：表示札用粘着帯体
４５：剥離台紙
５２：ラベル
６０：表示札用ラベル
９９：表示札構造
【図１】
2004333889.tif 000003
【図２】
2004333889.tif 000004
【図３】
2004333889.tif 000005
【図４】
2004333889.tif 000006
【図５】
2004333889.tif 000007
【図６】
2004333889.tif 000008
【図７】
2004333889.tif 000009
【図８】
2004333889.tif 000010
【図９】
2004333889.tif 000011
【図１０】
2004333889.tif 000012
【図１１】
2004333889.tif 000013
【図１２】
2004333889.tif 000014
【図１３】
2004333889.tif 000015